(57)【特許請求の範囲】
【請求項１】
床とステージとの間の間隙内に、第ｎ短軸と、第ｎ長軸とを有する回転可能な断面の第ｎ棒状体の複数本を、前記第ｎ長軸が前記床と水平となるように挿入する工程と、
前記間隙内において、前記第ｎ棒状体のそれぞれを同時に、前記第ｎ長軸が起立するように回動させる工程と、
を備えたことを特徴とするステージの嵩上げ方法。
【請求項２】
前記間隙が規定の高さか否かを判断する工程を、さらに備え、
前記間隙が規定の高さか否かを判断する工程において、
前記間隙が規定の高さでない、と判断された場合、
前記間隙が規定の高さとなるまで、
前記間隙内に、前記第ｎ長軸未満の第ｎ＋１短軸と、前記第ｎ長軸を超え、かつ前記第ｎ＋１短軸を超える第ｎ＋１長軸とを有する回転可能な断面の第ｎ＋１棒状体の複数本を、前記第ｎ＋１長軸が前記床と水平となるように挿入する工程と、
前記間隙内において、前記第ｎ＋１棒状体のそれぞれを、前記第ｎ＋１長軸が起立するように回動させる工程と、
を繰り返すこと
を特徴とする請求項１記載のステージの嵩上げ方法。
【請求項３】
前記間隙が規定の高さか否かを判断する工程を、さらに備え、
前記間隙が規定の高さか否かを判断する工程において、
前記間隙が規定の高さである、と判断された場合、
前記間隙内に、前記ステージの姿勢を安定させるとともに、前記ステージを扛上可能とする扛上可能化部材を挿入すること
を特徴とする請求項１又は２に記載のステージの嵩上げ方法。
【発明の詳細な説明】
【技術分野】
【０００１】
この発明の実施形態は、ステージの嵩上げ方法に関する。
【背景技術】
【０００２】
博物館等において、大形展示物を展示する方法として、平置き展示がある。平置き展示では、背が低いステージ（例えば展示ステージ）を床上に置き、このステージの上に、大形展示物を載置することが一般的である。
【０００３】
大形展示物には、例えば厨子、棺室のような木造古代構造物が含まれることがある。木造古代構造物は、劣化が進行して強度が弱まっている場合がほとんどであり、また、文化財保護の観点から、傷をつけることも一切できない。したがって、その移動には、細心の注意が払われる。
【０００４】
なお、構造物をジャッキアップする方法の公知例としては、例えば、特許文献１がある。
【先行技術文献】
【特許文献】
【０００５】
【特許文献１】特開２０２０−１６０１２号公報
【発明の概要】
【発明が解決しようとする課題】
【０００６】
特許文献１には、構造物をジャッキアップする方法が開示されているが、構造物をジャッキアップするのみであり、ステージごと、構造物をジャッキアップする方法は開示されていない。
【０００７】
木造古代構造物を安全に移動させるには、ステージごと移動させること、が考えられる。
【０００８】
しかしながら、床とステージとの間の間隙が狭く、例えばクレーンのフックを、ステージに架けることができない。また、上記間隙には、例えばフォークリフトのようなリフター装置のフォークですら進入させることができない場合がほとんどである。
【０００９】
この発明の実施形態は、床とステージとの間の間隙を、簡易な構成にて広げることが可能なステージの嵩上げ方法を提供する。
【課題を解決するための手段】
【００１０】
この発明の第１態様に係るステージの嵩上げ方法は、床とステージとの間の間隙内に、第ｎ短軸と、第ｎ長軸とを有する回転可能な断面の第ｎ棒状体の複数本を、前記第ｎ長軸が前記床と水平となるように挿入する工程と、前記間隙内において、前記第ｎ棒状体のそれぞれを同時に、前記第ｎ長軸が起立するように回動させる工程と、を備える。
【００１１】
この発明の第２態様に係るステージの嵩上げ方法は、第１態様において、前記間隙が規定の高さか否かを判断する工程を、さらに備え、前記間隙が規定の高さか否かを判断する工程において、前記間隙が規定の高さでない、と判断された場合、前記間隙が規定の高さとなるまで、前記間隙内に、前記第ｎ長軸未満の第ｎ＋１短軸と、前記第ｎ長軸を超え、かつ前記第ｎ＋１短軸を超える第ｎ＋１長軸とを有する回転可能な断面の第ｎ＋１棒状体の複数本を、前記第ｎ＋１長軸が前記床と水平となるように挿入する工程と、前記間隙内において、前記第ｎ＋１棒状体のそれぞれを、前記第ｎ＋１長軸が起立するように回動させる工程と、を繰り返す。
【００１２】
この発明の第３態様に係るステージの嵩上げ方法は、前記間隙が規定の高さか否かを判断する工程を、さらに備え、前記間隙が規定の高さか否かを判断する工程において、前記間隙が規定の高さである、と判断された場合、前記間隙内に、前記ステージの姿勢を安定させるとともに、前記ステージを扛上可能とする扛上可能化部材を挿入する。
【発明の効果】
【００１３】
第１態様〜第３態様に係る嵩上げ方法は、床とステージとの間の間隙内に、第ｎ短軸と、第ｎ長軸とを有する回転可能な断面の第ｎ棒状体の複数本を、第ｎ長軸が床と水平となるように挿入し、間隙内において、第ｎ棒状体のそれぞれを、第ｎ長軸が起立するように回動させる。したがって、第１態様〜第３態様に係る嵩上げ方法によれば、床とステージとの間の間隙を簡易な構成にて広げることが可能なステージの嵩上げ方法を提供できる。
【図面の簡単な説明】
【００１４】
【図１】図１は、一実施形態に係るステージの嵩上げ方法の一例を示すフローチャートである。
【図２】図２は、木造古代構造物の一例を示す模式正面図である。
【図３】図３は、木造古代構造物の一例を示す模式側面図である。
【図４】図４（ａ）は、扛上可能化部材の一例を示す模式平面図である。図４（ｂ）は、扛上可能化部材の一例を示す模式正面図である。
【図５】図５は、ステージの嵩上げ方法の一例を示す模式側面図である。
【図６】図６は、ステージの嵩上げ方法の一例を示す模式側面図である。
【図７】図７は、ステージの嵩上げ方法の一例を示す模式側面図である。
【図８】図８は、ステージの嵩上げ方法の一例を示す模式側面図である。
【図９】図９は、ステージの嵩上げ方法の一例を示す模式側面図である。
【図１０】図１０（ａ）は、ステージの一変形例を示す模式平面図である。図１０（ｂ）は、ステージの一変形例を示す模式正面図である。
【図１１】図１１は、ステージの他の変形例を示す模式平面図である。
【発明を実施するための形態】
【００１５】
以下、この発明の一実施形態を、図面を参照しながら説明する。各図において、共通する部分については共通する参照符号を付し、重複する説明は省略する。
【００１６】
（一実施形態）
図１は、一実施形態に係るステージの嵩上げ方法の一例を示すフローチャートである。図２は、木造古代構造物の一例を示す模式正面図である。図３は、木造古代構造物の一例を示す模式側面図である。
【００１７】
＜構造物＞
図１に示す一実施形態に係るステージの嵩上げ方法の一例を説明する前に、移動すべき構造物の一例を説明する。
【００１８】
図２及び図３に示すように、移動すべき構造体の一例は、木造古代構造物２００である。木造古代構造物２００は、ステージ１上に載置されている。ステージ１は、台板１１と、台板１１の下に設けられた根太１２と、を有する。ステージ１と床２との間には、間隙３がある。間隙３の初期高さＨ３は、例えば、根太１２の厚さと略同じである。また、ステージ１の幅は“Ｗ１”である。
【００１９】
＜嵩上げツールセット＞
次に、一実施形態に係るステージの嵩上げ方法の一例に使用する嵩上げツールセットの一例を説明する。
【００２０】
嵩上げツールセットの一例は、短軸と、長軸とを有する回転可能な断面の棒状体、例えば楕円棒状体、バージャッキ及び扛上可能化部材を含む。この棒状体の断面形状は、楕円に限らず、長方形、不等十字形、Ｌ形などでもよい。
【００２１】
＜＜楕円棒状体＞＞
楕円棒状体は、ステージ１の幅方向に、楕円棒状部と、楕円棒状部の両端に設けられた第１嵌合突起部とを有する。楕円棒状体の長さは、ステージ１の幅Ｗ１よりも長い。楕円棒状体は、短軸と、長軸とを有する。短軸ＤＳ１の長さは、間隙３の初期高さＨ３未満である（ＤＳ１＜Ｈ３）。長軸ＤＬ１の長さは、短軸ＤＳ１の長さを超える（ＤＬ１＞ＤＳ１）。
【００２２】
楕円棒状体は、両端の嵌合突起部を、ステージ１の外に出した状態で、間隙３内に挿入される。嵌合突起部の形状は、例えば六角形である。嵌合突起部の形状は、六角形に限らず、多角形であれば良い。また、嵌合突起部は突起物に限らず、多角形の穴であっても良い。要するに、楕円棒状体を、回動ツールにて回動できる形状の部位が、楕円棒状体の両端にあれば良い。このような楕円棒状体が、異なる大きさ毎に複数種類用意される。楕円棒状体は、１本の棒状体でも良いし、複数の部材を繋ぎ合わせて、１本の棒状体としても良い。
【００２３】
＜＜バージャッキ＞＞
バージャッキは、バーと、バーの、例えば両端に設けられた嵌合部を有する。
【００２４】
嵌合部には、嵌合穴が設けられている。嵌合穴の形状は、嵌合突起部の形状に対応している。嵌合穴は、嵌合突起部に嵌合される。
【００２５】
バージャッキは、楕円棒状体を回動させる回動ツールである。
【００２６】
＜＜扛上可能化部材＞＞
図４（ａ）は、扛上可能化部材の一例を示す模式平面図である。図４（ｂ）は、扛上可能化部材の一例を示す模式正面図である。
【００２７】
図４（ａ）及び図４（ｂ）に示すように、扛上可能化部材６は、例えばＨ形鋼である。扛上可能化部材６の長さＬ６は、ステージ１の幅Ｗ１よりも長い。扛上可能化部材６の高さＨ６は、長軸が最も長い楕円棒状体の長軸の長さ以下であり、長軸が２番目に長い楕円棒状体の長軸の長さを超える。
【００２８】
扛上可能化部材６は、間隙３内に複数挿入される。扛上可能化部材６は、ステージ１の姿勢を安定させるとともに、ステージ１を扛上可能とするツールである。本明細書において“扛上”とは、例えば、クレーンによって移動すべき構造体、例えば木造古代構造物２００を、ステージ１ごと吊り上げること又は木造古代構造物２００を、フォークリフトのようなリフター装置によってステージ１ごと持ち上げることをいう。
【００２９】
（ステージの嵩上げ方法）
次に、図１、図５〜図９を参照して、一実施形態に係るステージの嵩上げ方法の一例を説明する。
【００３０】
図５〜図９は、ステージの嵩上げ方法の一例を示す模式側面図である。
【００３１】
図１及び図５に示すように、楕円棒状体１００ｎを、間隙３内に挿入する（工程ＳＴ．１）。ステージの嵩上げ方法の一例では、複数の第１楕円棒状体１００１（１００ｎ：ｎ＝１）が、間隙３内に、第１長軸ＤＬ１（ＤＬｎ：ｎ＝１）が床２と水平となるように挿入される。第１楕円棒状体１００１の第１短軸ＤＳ１（ＤＳｎ：ｎ＝１）の長さは、間隙３の初期高さＨ３未満である（ＤＳｎ＜Ｈ３）。第１楕円棒状体１００１の第１長軸ＤＬ１（ＤＬｎ：ｎ＝１）の長さは、第１短軸ＤＳ１（ＤＳｎ：ｎ＝１）の長さを超える（ＤＬｎ＞ＤＳｎ）。第１楕円棒状体１００１の第１長軸ＤＬ１（ＤＬｎ：ｎ＝１）の長さは、間隙３の初期高さＨ３を超える（ＤＬｎ＞Ｈ３）。
【００３２】
次に、図６に示すように、第１バージャッキ５ａを、第１楕円棒状体１００１のそれぞれに取り付ける。第１バージャッキ５ａは、第１嵌合穴５３１ａを、第１楕円棒状体１００１の第１嵌合突起部４２ａに嵌合させることで、第１楕円棒状体１００１に取り付けられる。
【００３３】
次に、第１バージャッキ５ａによって、楕円棒状体１００ｎ、この一例では第１楕円棒状体１００１（１００ｎ：ｎ＝１）を回動させ、第１長軸ＤＬ１（ＤＬｎ：ｎ＝１）を起立させる（工程ＳＴ．２）。第１長軸ＤＬ１を起立させることで、間隙３の高さは、初期高さＨ３から、第１嵩上げ高さＨ３ａに上昇する。
【００３４】
次に、図１に示すように、間隙３の高さが規定の高さか否かを判断する（工程ＳＴ．３）。規定の高さに達していない場合（ＮＯ）、工程ＳＴ．４へ進む。工程ＳＴ．４では、先の楕円棒状体１００ｎに代えて、次の楕円棒状体１００ｎ＋１（ｎ→ｎ＋１）を選択する。ステージの嵩上げ方法の一例では、次の楕円棒状体１００ｎ＋１として、第２楕円棒状体１００２（１００ｎ：ｎ＝２）が選択される。
【００３５】
次に、図１及び図７に示すように、次の楕円棒状体１００ｎ＋１を、間隙３内に挿入する（工程ＳＴ．５）。ステージの嵩上げ方法の一例では、複数の第２楕円棒状体１００２（１００ｎ＋１：ｎ＋１＝２）が、間隙３内に、第２長軸ＤＬ２（ＤＬｎ＋１：ｎ＋１＝２）が床２と水平となるように挿入される。第２楕円棒状体１００２の第２短軸ＤＳ２（ＤＳｎ＋１：ｎ＋１＝２）の長さは、第１長軸ＤＬ１（ＤＬｎ：ｎ＝１）の長さ未満である（ＤＳｎ＋１＜ＤＬｎ）。第２楕円棒状体１００２の第２長軸ＤＬ２（ＤＬｎ＋１：ｎ＋１＝２）の長さは、第２短軸ＤＳ２（ＤＳｎ＋１：ｎ＋１＝２）の長さを超える（ＤＬｎ＋１＞ＤＳｎ＋１）。第２楕円棒状体１００２の第２長軸ＤＬ２（ＤＬｎ＋１：ｎ＋１＝２）の長さは、第１長軸ＤＬ１（ＤＬｎ：ｎ＝１）の長さを超える（ＤＬｎ＋１＞ＤＬｎ）。
【００３６】
次に、図１及び図８に示すように、先の楕円棒状体１００ｎを、例えば逆回動させる（工程ＳＴ．６）。これにより、先の楕円棒状体１００ｎ、ステージの嵩上げ方法の一例では、第１楕円棒状体１００１（１００ｎ：ｎ＝１）が、第１長軸ＤＬ１が床２と水平となるように床２に着底される。また、ステージ１は、その台板１１上に木造古代構造物２００が載置された状態で第１楕円棒状体１００１から、第２楕円棒状体１００２に載せ変えられる。
【００３７】
次に、図１に示すように、先の楕円棒状体１００ｎを、間隙３内から抜去する（工程ＳＴ．７）。ステージの嵩上げ方法の一例では、複数の第１楕円棒状体１００１（１００ｎ：ｎ＝１）が、間隙３内から抜去される。
【００３８】
なお、工程ＳＴ．７は、省略することも可能である。何故ならば、第１楕円棒状体１００１の第１短軸ＤＳ１の長さは、第２楕円棒状体１００２の第２短軸ＤＳ２の長さよりも短い。このため、第１楕円棒状体１００１は、間隙３内において、自然回動して第１長軸ＤＬ１が床２と水平となる姿勢で安定する。したがって、次に行われる第２楕円棒状体１００２の回動に支障を与えないのであれば、第１楕円棒状体１００１は、間隙３内に残すことができる。このことは、例えば、第２楕円棒状体１００２及び〜第４楕円棒状体１００４においても同様である。
【００３９】
次に、第１バージャッキ５ａを、第２楕円棒状体１００２のそれぞれに取り付ける。第１バージャッキ５ａは、第２嵌合穴を、第２楕円棒状体１００２の第２嵌合突起部４２ｂに嵌合させることで、第２楕円棒状体１００２に取り付けられる。
【００４０】
次に、図１に示すように、第１バージャッキ５ａによって、第２楕円棒状体１００２（１００ｎ：ｎ＝２）を回動させ、第２長軸ＤＬ２（ＤＬｎ：ｎ＝２）を起立させる（工程ＳＴ．８）。第２長軸ＤＬ２を起立させることで、間隙３の高さは、第嵩上げ高さＨ３ａよりも高い高さに、さらに上昇する。
【００４１】
次に、工程ＳＴ．３に戻り、間隙３の高さが規定の高さか否かを判断する。規定の高さに達していない場合（ＮＯ）、工程ＳＴ．４〜工程ＳＴ．８を繰り返す。
【００４２】
また、図１に及び図９に示すように、工程ＳＴ．３において、間隙３の高さが規定の高さＨｆに達した場合（ＹＥＳ）、工程ＳＴ．９へ進む。ステージの嵩上げ方法の一例では、第４楕円棒状体１００４の第４長軸ＤＬ４を起立させたとき、間隙３の高さが規定の高さＨｆに達したと判断する。工程ＳＴ．９では、間隙３内に、扛上可能化部材６を挿入する。ステージの嵩上げ方法の一例は、例えば、工程ＳＴ．７において終了する。
【００４３】
（ステージの扛上例）
以下、引き続き、ステージの扛上例について説明する。
【００４４】
第４楕円棒状体１００４を、工程ＳＴ．６と同様に、例えば逆回動させ、間隙３内から抜去する。これにより、ステージ１は、その台板１１上に木造古代構造物２００が載置された状態で、第４楕円棒状体１００４から、扛上可能化部材６に載せ変えられる。そして、ステージ１は、その台板１１上に木造古代構造物２００が載置された状態で、扛上可能化部材６の上で安定する。扛上可能化６を、間隙３内に挿入することによって、間隙３の高さには、ステージ１を扛上可能とする扛上可能高さＨｕが確保される。
【００４５】
次に、扛上可能化部材６に、例えばクレーンのフックを掛け、クレーンによってステージ１ごと、木造古代構造物２００を吊り上げる。これにより、木造古代構造物２００は、ステージ１ごと安全に移動させることができきる。また、間隙３の高さに、扛上可能高さＨｕが確保された場合、間隙３内には、例えばフォークリフトのようなリフター装置のフォークを挿入することもできる。フォークは、ステージ１ごと、木造古代構造物２００を持ち上げる。この場合、扛上可能化部材６は、例えば、床２の上に置かれたままとなる。
【００４６】
上述したように、この発明の一実施形態では、床２とステージ１との間の間隙３内に、複数の第１楕円棒状体１００１（１００ｎ）、第１長軸ＤＬ１（ＤＬｎ）が床２と水平となるように挿入し（ＳＴ．１）、間隙３内において、第１楕円棒状体１００１のそれぞれを、第１長軸ＤＬ１が起立するように回動させる（ＳＴ．２）。したがって、一実施形態によれば、床２とステージ１との間の間隙３を簡易な構成にて広げることが可能なステージの嵩上げ方法を提供できる。
【００４７】
また、この発明の一実施形態では、間隙３が規定の高さＨｆか否かを判断する工程ＳＴ．３を、さらに備える。工程ＳＴ．３において、間隙３が規定の高さＨｆでない、と判断された場合、次の第２楕円棒状体１００２（ｎ→ｎ＋１）を選択する（ＳＴ．４）。そして、間隙３内に、第１長軸ＤＬ１以下の第２短軸ＤＳ２（ｎ→ｎ＋１：ＤＳｎ＋１）と、第１長軸ＤＬ１を超え、かつ第２短軸ＤＳ２を超える第２長軸ＤＬ２（ｎ→ｎ＋１：ＤＬｎ＋１）とを有した複数の第２楕円棒状体１００２を、第２長軸ＤＬ２が床２と水平となるように挿入する（ＳＴ．５）。次に、間隙３内において、第２楕円棒状体１００２のそれぞれを、第２長軸ＤＬ２が起立するように回動させる（ＳＴ．６）。
【００４８】
そして、間隙３が規定の高さＨｆでないと判断される限り、間隙３が規定の高さＨｆとなるまで、工程ＳＴ．４〜工程ＳＴ．６を繰り返す。これにより、次の楕円棒状体１００ｎ＋１を選択し、選択された次の楕円棒状体１００ｎ＋１の第２長軸ＤＬｎ＋１が床２と水平となるように挿入し、第２長軸ＤＬｎ＋１が起立するように回動させる、という簡易な構成の工程を繰り返すだけで、床２とステージ１との間隙３を、徐々に広げていくことができる。
【００４９】
また、工程ＳＴ．３において、間隙３が規定の高さＨｆである、と判断された場合には、間隙３内に、ステージ１の姿勢を安定させるとともに、ステージ１を扛上可能とする扛上可能化部材６を挿入する。これにより、ステージ１の姿勢は、楕円棒状体１００ｎによる支持よりも、より安定した姿勢を保ちつつ、ステージ１を扛上可能にできる。
【００５０】
また、上記一実施形態では、移動すべき構造体の一例として、木造古代構造物２００を例示したが、移動すべき構造体は、木造古代構造物２００に限られることはない。例えば、文化財や、現代美術品でも良い。
【００５１】
また、移動すべき構造体は、博物館や美術館に展示される展示物に限られることもない。例えば、展示会、博覧会、イベントショー等における出品物、例えばメーカーによる自動車等の新製品、新商品等の出品、展示、広告等であっても良い。
【００５２】
さらに、ステージ１上には、移動すべき構造体が無い場合でも、この発明の一実施形態は適用可能である。例えば、ステージ１が大きく、作業者によるステージ１の移動作業に困難を伴う場合には、この発明の一実施形態を適用することが可能である。ステージ１が大きい場合の例は、舞台工芸等における大道具、例えば山台、雛壇、平台等に見ることができる。
【００５３】
また、ステージ１は“構造物”と読み替えることもできる。したがって、この発明の一実施形態は、“構造物”を嵩上げすることも可能である。
【００５４】
＜＜ステージの変形例＞＞
図１０（ａ）は、ステージの一変形例を示す模式平面図である。図１０（ｂ）は、ステージの一変形例を示す模式正面図である。
【００５５】
図１０（ａ）及び図１０（ｂ）に示すように、ステージ１の台板１１は、複数に分割されていても良い。ステージの一変形例では、台板１１が３つの第１台板１１１、第２台板１１２及び第３台板１１３に分割されている。
【００５６】
楕円棒状体１００は、間隙３内に、第１台板１１１〜第３台板１１３の下方を貫通して配置される。このため、一実施形態に係るステージの嵩上げ方法によれば、ステージ１の台板１１が複数に分割されている場合でも、複数の台板、例えば第１台板１１１〜第３台板１１３のそれぞれを同時に嵩上げすることができる。
【００５７】
しかも、ステージ１上に載置される構造物、例えば木造構造物２００が、例えば第１台板１１１〜第３台板１１３のそれぞれに跨って載置されていても、木造構造物２００ごと、第１台板１１１〜第３台板１１３のを嵩上げすることができる。
【００５８】
また、台板１１を複数に分割する場合、根太１２は、例えば第１台板１１１〜第３台板１１３と、固定されなくても良い。
【００５９】
図１１は、ステージの他の変形例を示す模式平面図である。
【００６０】
図１１に示すように、複数に分割された台板の中に、作業者の手が直接届かない台板がある場合であっても、一実施形態に係るステージの嵩上げ方法によれば、作業者の手が直接届かない台板も、他の台板のそれぞれと同時に嵩上げすることもできる。図１１に示す例では、第１台板１１１〜第９台板１１９の９枚があり、第５台板１１５が、作業者の手が直接届かない台板である。
【００６１】
以上、この発明の一実施形態及びいくつかの変形例を説明したが、上記一実施形態及びいくつかの変形例は例として提示したものであり、発明の範囲を限定することは意図していない。また、この発明の実施形態は、上記一実施形態が唯一のものでもない。この発明の実施形態は、様々な新規な形態で実施することができる。したがって、上記一実施形態は、この発明の要旨を逸脱しない範囲で、種々の省略、置き換え、変更が可能である。このような新規な形態や変形は、この発明の範囲や要旨に含まれるとともに、特許請求の範囲に記載された発明、及び特許請求の範囲に記載された発明の均等物の範囲に含まれる。
【符号の説明】
【００６２】
１００    ：楕円棒状体
１００ｎ  ：楕円棒状体
１００１  ：第１楕円棒状体
１００２  ：第２楕円棒状体
１００４  ：第４楕円棒状体
２００    ：木造古代構造物
１        ：ステージ
１１      ：台板
１１１〜１１９：第１台板〜第９台板
１２      ：根太
２        ：床
３        ：間隙
４１ａ    ：第１楕円棒状部
４１ｂ    ：第２楕円棒状部
４２      ：嵌合突起部
４２ａ    ：第１嵌合突起部
４２ｂ    ：第２嵌合突起部
４３      ：嵌合穴
５        ：バージャッキ
５０      ：嵌合機構
５０ａ    ：変形例に係る嵌合機構
５１ａ    ：第１バージャッキ
５２１    ：嵌合部
５２１ａ  ：第１嵌合部
５２２ａ  ：第２嵌合部
５３１    ：嵌合穴
５３１ａ  ：第１嵌合穴
６        ：扛上可能化部材
Ｈ３      ：間隙３の初期高さ
Ｈ３ａ    ：間隙３の第１嵩上げ高さ
Ｈｆ      ：規定の高さ
Ｗ１      ：ステージ１の幅
ＤＳ１    ：第１短軸
ＤＳ４    ：第４短軸
ＤＬ１    ：第１長軸
ＤＬ４    ：第４長軸
Ｌ６      ：扛上可能化部材６の長さ
Ｈ６      ：扛上可能化部材６の高さ
ＳＴ．１〜ＳＴ．９：工程
【要約】
【課題】床とステージとの間の間隙を、簡易な構成にて広げることが可能なステージの嵩上げ方法を提供すること。
【解決手段】
一実施形態に係るステージの嵩上げ方法は、工程（ＳＴ．１）と、工程（ＳＴ．２）と、を備える。工程（ＳＴ．１）では、床とステージとの間の間隙内に、第１短軸（ＤＳｎ）と、第１長軸（ＤＬｎ）とを有した複数の第１棒状体（１００ｎ）を、第１長軸（ＤＬｎ）が床と水平となるように挿入する。工程（ＳＴ．２）では、間隙内において、第１棒状体（１００ｎ）のそれぞれを、第１長軸（ＤＬｎ）が起立するように回動させる。
【選択図】図１【図１】
0006757092.tif 000002
【図２】
0006757092.tif 000003
【図３】
0006757092.tif 000004
【図４】
0006757092.tif 000005
【図５】
0006757092.tif 000006
【図６】
0006757092.tif 000007
【図７】
0006757092.tif 000008
【図８】
0006757092.tif 000009
【図９】
0006757092.tif 000010
【図１０】
0006757092.tif 000011
【図１１】
0006757092.tif 000012